(57)【特許請求の範囲】
【請求項１】
便器本体の上面側に固定される装置本体と、
前記便器本体の上面側において起立姿勢と倒伏姿勢とに回動可能な形態で前記装置本体に固定された便座と、
前記便座の後端部と前記装置本体との間に架け渡される連結部と、
を備え、
前記連結部のうち前記便座側の端部は前記便座の内部に配され、
前記連結部が、前記便座の後端部に形成された後方に開口する開口部から後側に突出しており、
前記装置本体が、前記開口部の上面側を覆うカバー部材を備えている便座装置。
【請求項２】
前記カバー部材は、背もたれ部材である請求項１に記載の便座装置。
【請求項３】
前記連結部のうち前記便座側の端部が、前記便座を回動可能に支持するヒンジ部を構成し、
前記開口部が、前記便座の倒伏姿勢において前記便座の後面から上面に留まる範囲内に、前記便座の回動範囲に対応した大きさで形成されている請求項１または請求項２に記載の便座装置。
【請求項４】
前記連結部の内部に、電線を収容可能な収容空間が設けられている請求項１ないし請求項３のいずれか一項に記載の便座装置。
【請求項５】
前記収容空間が、前記便座の内部に連通するとともに、前記電線を側方から収容可能に開放され、カバー部によって閉じられるようになっている請求項４に記載の便座装置。
【発明の詳細な説明】
【技術分野】
【０００１】
本発明は、便座装置に関する。
【背景技術】
【０００２】
従来、便器本体の上面側に固定される装置本体と、便器本体の上面側において起立姿勢と倒伏姿勢とに回動可能な形態で装置本体に固定された便座と、を備えた便座装置が知られている。例えば下記特許文献１に記載の便座装置は、便器の後部上面に設置された便座ボックスの前部に、便座が回動可能に取り付けられている。便座ボックスの前面下部の中央付近には、略半円筒形の取付基部が突設され、取付基部内には便座回動装置および便蓋回動装置が設置されている。便座回動装置および便蓋回動装置の駆動軸は、取付基部の左右両端面から左方および右方にそれぞれ突出している。一方、便座の後端部の左右両端には、ヒンジ部が後方へ向かって突設されている。左右一対のヒンジ部には、左右方向に貫通した駆動軸挿通孔が設けられている。ヒンジ部は、取付基部の左右両側に配置され、各ヒンジ部の駆動軸挿通孔に各回動装置の駆動軸が挿通されることにより、便座が取付基部に対し回動可能に連結される。
【先行技術文献】
【特許文献】
【０００３】
【特許文献１】特開２０１４−５７８８４号公報
【発明の概要】
【発明が解決しようとする課題】
【０００４】
ところで、上記のような構成の便座装置では、便座と装置本体との連結部分（取付基部およびヒンジ部）が前面側に露出している。このため、便座と装置本体との連結部分を左右対称な形状にする等、見栄えを良くするためにデザイン上の制約が課せられるという問題があった。
【０００５】
本発明は上記のような事情に基づいて完成されたものであって、便座と装置本体との連結部分が前面側に露出することを防ぐことが可能な便座装置を提供することを目的とする。
【課題を解決するための手段】
【０００６】
本発明の便座装置は、便器本体の上面側に固定される装置本体と、前記便器本体の上面側において起立姿勢と倒伏姿勢とに回動可能な形態で前記装置本体に固定された便座と、前記便座の後端部と前記装置本体との間に架け渡される連結部と、を備え、前記連結部のうち前記便座側の端部は前記便座の内部に配され、前記連結部が、前記便座の後端部に形成された後方に開口する開口部から後側に突出しており、前記装置本体が、前記開口部の上面側を覆うカバー部材を備えている。
【発明の効果】
【０００７】
本発明によれば、装置本体と便座との連結部分が便座の後側に配されるから、装置本体と便座との連結部分が前面側に露出することを防ぐことができる。
また、本発明の便座装置は、前記装置本体が、前記開口部の上面側を覆うカバー部材を備えている。このような構成によれば、開口部が上面側に露出することを防ぐことができるから、より見栄えを良くすることができる。
【図面の簡単な説明】
【０００８】
【図１】本実施例における便座装置であって、便器本体に固定された状態を示す斜視図
【図２】連結部および便座固定フレームが取り付けられた状態の便座を示す斜視図
【図３】第１連結部側のヒンジ部を示す分解斜視図
【図４】第１連結部側のヒンジ部が収容された収容凹部にキャップを取り付ける様子を示す斜視図
【図５】第２連結部側のヒンジ部を示す分解斜視図
【図６】第２連結部側のヒンジ部が収容された収容凹部にキャップを取り付ける様子を示す斜視図
【図７】便器本体に固定された状態の便座装置の後面側を示す斜視図
【図８】便座装置のヒンジ部を示す一部拡大断面図
【図９】第２連結部の収容空間がタンクカバーの内部に臨んでいる状態を示す一部拡大断面図
【図１０】便座を示す背面図
【図１１】便座を示す平面図
【図１２】背もたれ部材によって開口部が覆われた状態の便座装置を示す平面図
【図１３】便座が起立姿勢である状態の開口部を示す便座装置の一部拡大断面図
【図１４】便座が倒伏姿勢である状態の開口部を示す便座装置の一部拡大断面図
【発明を実施するための形態】
【０００９】
本発明の好ましい形態を以下に示す。
本発明の便座装置は、前記カバー部材は、背もたれ部材であるものとしてもよい。
本発明の便座装置は、前記連結部のうち前記便座側の端部が、前記便座を回動可能に支持するヒンジ部を構成し、前記開口部が、前記便座の倒伏姿勢において前記便座の後面から上面に留まる範囲内に、前記便座の回動範囲に対応した大きさで形成されているものとしてもよい。このような構成によれば、便座の内部にヒンジ部を配置するとともに、開口部が前面側に露出することを防ぐことができるから、見栄えを良くすることができる。
【００１１】
また、本発明の便座装置は、前記連結部の内部に、電線を収容可能な収容空間が設けられているものとしてもよい。このような構成によれば、連結部の内部を、電線を収容する空間として有効利用することができる。
【００１２】
また、本発明の便座装置は、前記収容空間が、前記便座の内部に連通するとともに、前記電線を側方から収容可能に開放され、カバー部によって閉じられるようになっているものとしてもよい。このような構成によれば、電線を側方から収容空間に収容し、便座の内部に通すことができるから、電線の配置を容易に行うことができる。
【００１３】
＜実施例＞
以下、本発明を具体化した一実施例について、図１〜図１２を参照しつつ詳細に説明する。
本実施例における便座装置Ｍは、便器本体１の上面側に固定される装置本体１０と、便器本体１の上面側において起立姿勢と倒伏姿勢とに回動可能な形態で装置本体１０に固定された便座３０とを備えている。便器本体１は便鉢部２を有し、便座３０は、便鉢部２の上面で倒伏状態と起立状態に回動する。
【００１４】
装置本体１０は、洗浄タンク１１を有し、洗浄タンク１１の前面には背もたれ部材（カバー部材）１２が固定されている。
洗浄タンク１１は、便器洗浄水を貯留するタンク１３と、タンク１３の周囲を覆うタンクカバー１４とを備えている。
【００１５】
タンクカバー１４は、合成樹脂製であって、タンク１３の左右両側および後側を覆う周壁１５を有し、前面側に背もたれ部材１２が備えられている。また、タンクカバー１４の上面側には、蓋部材１７が備えられている。タンクカバー１４に蓋部材１７を取り付けた状態では、タンクカバー１４の上面は、前端から後端に向かって次第に下がる傾斜面となる。
【００１６】
背もたれ部材１２は、弾性材料によって所定の厚さ寸法を有する略方形の厚板状に形成され、クッション性を有するものとされている。背もたれ部材１２は、正面から見ると横方向に長い長方形状をなし、その下端は、便座３０の上面に近接して配される。背もたれ部材１２によって、後述する便座３０の開口部７０の上面側が覆われる。また、背もたれ部材１２は、タンクカバー１４の前面に形成された開口を覆うものである。
【００１７】
背もたれ部材１２は、複数の取付ねじによってタンクカバー１４およびタンクカバー１４内に配されたフレーム２０に固定されている。
フレーム２０は、便器本体１に固定されるものである。フレーム２０は、金属製であって、図７に示すように、便器本体１の後部上面に載置される載置面部２１と、載置面部２１の左右両端部から上方に立ち上がる左右一対の縦フレーム２２と、左右一対の縦フレーム２２の間に掛け渡された上下一対の横フレーム２３とを備えている。
【００１８】
載置面部２１は板状をなし、図示しない取付ボルトが下方へ貫通可能な貫通孔が形成されている。載置面部２１を貫通した取付ボルトが便器本体１の後部上面に設けられた固定孔（図示せず）にそれぞれ挿通され、下方からナットが締め付けられることにより、装置本体１０が便器本体１に固定される。
【００１９】
左右一対の縦フレーム２２は、載置面部２１の左右両端部に接合されている。一対の縦フレーム２２は、装置本体１０が便器本体１に固定された状態では、便器本体１の幅方向における両端部に配される。
【００２０】
横フレーム２３は、縦フレーム２２の上端部と中間部とに連結されている。中間部に連結された横フレーム２３（以後、便座固定フレーム２３Ａと称する）には、連結部５０を介して便座３０が固定される。便座固定フレーム２３Ａの左右方向における両端部には、連結部５０が固定される被固定部２４が垂下されている。
【００２１】
便座固定フレーム２３Ａの上縁には、図２に示すように、略水平な板面を有するフランジ部２６が設けられている。フランジ部２６は、便座固定フレーム２３Ａの後面側に、略全幅にわたって設けられている。フランジ部２６の左右方向における両端部は、コイルバネＳの下端を支持するバネ支持部２７を構成している。バネ支持部２７には、コイルバネＳの内側に挿通される心棒２８の端部が嵌合可能な嵌合穴２９が貫通形成されている。コイルバネＳは、倒伏姿勢において脚部３４の一部が便器本体１の上面から浮いた状態になるように便座３０を弾性的に持ち上げるものである。
【００２２】
便座３０は、全体として前後方向に若干長い方形状をなし、中央部には、前後方向に長い略長円形状の開口３１が形成されている。便座３０の後端部は、便座３０の倒伏姿勢において上方に立ち上がった形状をなしている。
【００２３】
便座３０は、図８に示すように、表部材３２および裏部材３３を有し、表部材３２と裏部材３３との間には空洞部が形成されている。表部材３２の内面には、通電により発熱する図示しないニクロム線とアルミシートからなる発熱体が貼着されている。また、裏部材３３には、便座３０の倒伏姿勢において便鉢部２の上面に当接し得る複数（本実施例では４つ）の脚部３４が設けられている。脚部３４は、開口３１を中心にした前後左右に設けられている。
【００２４】
便座３０の後端部の裏面（裏部材３３）には、便座３０の起立姿勢において後方に向かって下がる傾斜をなす傾斜部３５が設けられている。傾斜部３５は、便座３０の幅方向における略全体にわたり形成されている。なお、傾斜部３５の幅方向における両端部には、便座３０を側面視したときに、傾斜部３５を隠すように突出する突出縁部３６が設けられている。
【００２５】
便座３０の後端部には、図８に示すように、便座３０を回動可能に支持するヒンジ部Ｈが設けられている。ヒンジ部Ｈは、便座３０の後端部の左右方向における両端部に備えられている。ヒンジ部Ｈは、便座３０の後端部に形成された収容凹部３７に収容されている。ヒンジ部Ｈは、収容凹部３７に取り付けられたキャップ３８によって覆われている。収容凹部３７には、キャップ３８等をねじ止めするねじ止め部３９が複数設けられている。キャップ３８には、後述する後面開口部７１を構成する凹部３８Ａが形成されている。
【００２６】
左右一対の収容凹部３７のうち一方には、図３および図８に示すように、便座３０の回動に抵抗を付与するダンパー装置４１が収容されている。ダンパー装置４１は、ダンパーケース４２に収まって、収容凹部３７に固定されている。ダンパーケース４２には、後述するロック受け部５８に係止して、便座３０を起立姿勢に保持するロック部４５が一体に設けられている。
【００２７】
左右一対の収容凹部３７のうち他方には、図５および図８に示すように、ヒンジ固定部材４３が収容されている。ヒンジ固定部材４３は、後述する第２連結部５０Ｂの軸部５９が嵌合可能な軸受け部４４を有し、収容凹部３７に固定される。軸受け部４４は、軸部５９に嵌合可能な円筒形状をなしている。軸受け部４４は、軸部５９に対して、径方向の両側から嵌合できるように分割されている。軸受け部４４は、収容凹部３７に嵌め込まれる軸受けパーツ４３Ａと、収容凹部３７にねじ止めされる本体パーツ４３Ｂとに分けて形成されている。
【００２８】
便座３０の後端部の左右両側には、便座３０の後端部と装置本体１０との間に架け渡される連結部５０が備えられている（図２参照）。各左右一対の連結部５０は、いずれも便座３０の後端部から後方に突出して、上方に立ち上がる形態をなしている。連結部５０は、背もたれ部材１２を含むタンクカバー１４によって覆われている。
【００２９】
連結部５０は、合成樹脂製であって、下端部（便座３０側の端部）は便座３０に接合される接合部５１とされている（図８参照）。接合部５１は、便座３０に設けられた収容凹部３７に収容され、ヒンジ部Ｈを構成する。連結部５０は、収容凹部３７の後面に形成された開口部７０から後方に突出する。なお、開口部７０については後ほど詳しく説明する。
【００３０】
連結部５０の上端部には、図２に示すように、コイルバネＳの上端を押さえるバネ押え部５２が設けられている。バネ押え部５２は、便座固定フレーム２３Ａのバネ支持部２７と上下方向に対向して配されている。バネ押え部５２には、コイルバネＳの内側に挿通される心棒２８が貫通可能な貫通穴５３が上下方向に貫通形成されている。心棒２８は、バネ押え部５２の上面に頭部２８Ａを当接させ、バネ支持部２７よりも下側にＥリングを嵌め込むことによって固定される。
【００３１】
連結部５０は、便座固定フレーム２３Ａの被固定部２４に固定される固定部５４を備えている。固定部５４は、被固定部２４の前面に沿って配され、図示しない係止ピンによって固定されている。
【００３２】
左右一対の連結部５０のうち一方の連結部５０（以後、第１連結部５０Ａと称する）の接合部５１には、図３および図８に示すように、ダンパー装置４１の軸部４１Ａが挿入される穴部５７が設けられている。また、第１連結部５０Ａには、便座３０に設けられたロック部４５に係止して、便座３０を起立姿勢に保持するロック受け部５８が備えられている。
【００３３】
左右一対の連結部５０のうち他方の連結部５０（以後、第２連結部５０Ｂと称する）の接合部５１には、図５および図８に示すように、ヒンジ固定部材４３の軸受け部４４に嵌合可能な軸部５９が設けられている。
【００３４】
第２連結部５０Ｂは、内部に電線Ｗ等を収容可能な収容空間を有する収容部６１を備えている。収容部６１は、第２連結部５０Ｂのうち便座３０から後側に突出する部分（以後、突出部６２と称する）と、軸部５９とに設けられている。収容部６１の収容空間は、突出部６２から軸部５９にかけて連通している。
【００３５】
収容部６１は、内部に電線Ｗ等を挿通可能な筒状をなしている。収容部６１は、電線Ｗ等を側方から収容することができるように側方に開放された本体部６１Ａと、本体部６１Ａの開放側を閉鎖するカバー部６１Ｂとを有している。
【００３６】
突出部６２は、固定部５４の下端において固定部５４に対して略直角をなし、略水平に配置されている。突出部６２は、角筒状をなし、突出部６２の後端は、図９に示すように、横フレーム２３の被固定部２４と縦フレーム２２との間に位置してタンクカバー１４の内部空間に臨んで後方に開口している。
【００３７】
軸部５９は、突出部６２の前端において突出部６２に対して略直角をなし、略水平に配置されている。軸部５９は、円筒形状をなし、軸部５９の先端は、図８に示すように、便座３０の内部空間に臨んで左右方向内側に開口している。
【００３８】
さて、便座３０の後端部のうち収容凹部３７に対応する位置には、開口部７０が設けられている（図１０および図１１参照）。開口部７０は、便座３０の倒伏姿勢において便座３０の後面から上面に留まる範囲内に、便座３０の回動範囲に対応した大きさで形成されている（図１３および図１４参照）。左右一対の開口部７０は、いずれも後面から上面にかけての寸法が左右の幅寸法よりも大きい長方形状をなしている。
【００３９】
左右の開口部７０は、大きさおよび位置が若干異なるものとされている。
具体的には、左右の開口部７０は、左右方向の幅寸法が異なるものとされている。左右の開口部７０のうち第１連結部５０Ａが突出する開口部７０（以後、第１開口部７０Ａと称する）は、第２連結部５０Ｂが突出する開口部７０（以後、第２開口部７０Ｂと称する）よりも左右方向の幅寸法が若干小さくされている。
【００４０】
また、開口部７０のうち便座３０の後面に形成された部分（以後、後面開口部７１と称する）は、図１０に示すように、第１開口部７０Ａの後面開口部７１の上下方向の寸法が、第２開口部７０Ｂの後面開口部７１の上下方向の寸法よりも若干大きくされている。なお、後面開口部７１の下端部はキャップ３８の凹部３８Ａによって形成されている。
【００４１】
開口部７０のうち便座３０の上面に形成された部分（以後、上面開口部７２と称する）は、図１１に示すように、第１開口部７０Ａの上面開口部７２が、第２開口部７０Ｂの上面開口部７２よりも前後方向の寸法が若干小さくされている。
また、第２開口部７０Ｂが、第１開口部７０Ａよりも便座３０の左右方向における端に寄った位置に設けられている。
【００４２】
便座３０の後端部に設けられた開口部７０は、便座３０の倒伏姿勢および起立姿勢のいずれにおいても、正面側から見えないようになっている。
便座３０の起立姿勢においては、上面開口部７２は便座３０の後側に配され、後面開口部７１は便座３０の下側に配される。第２連結部５０Ｂの突出部６２は、上面開口部７２から後側に突出した状態になる。
【００４３】
便座３０の倒伏姿勢においては、図１２に示すように、上面開口部７２はタンクカバー１４好ましくは背もたれ部材１２によって覆われ、後面開口部７１は便座３０の後側に配される。第２連結部５０Ｂの突出部６２は、後面開口部７１から後側に突出した状態になる。
【００４４】
次に、上記のように構成された実施例の作用および効果について説明する。
本実施例における便座装置Ｍは、便器本体１の上面側に固定される装置本体１０と、便器本体１の上面側において起立姿勢と倒伏姿勢とに回動可能な形態で装置本体１０に固定された便座３０と、便座３０の後端部と装置本体１０との間に架け渡される連結部５０と、を備え、連結部５０のうち便座３０側の端部は便座３０の内部に配され、連結部５０が、便座３０の後端部に形成された後方に開口する開口部７０から後側に突出している。
【００４５】
この構成によれば、装置本体１０と便座３０との連結部分が便座３０の後側に配されるから、装置本体１０と便座３０との連結部分が前面側に露出することを防ぐことができる。
【００４６】
また、連結部５０のうち便座３０側の端部が、便座３０を回動可能に支持するヒンジ部Ｈを構成し、開口部７０が、便座３０の倒伏姿勢において便座３０の後面から上面に留まる範囲内に、便座３０の回動範囲に対応した大きさで形成されている。この構成によれば、便座３０の内部にヒンジ部Ｈを配置するとともに、開口部７０が前面側に露出することを防ぐことができるから、見栄えを良くすることができる。
【００４７】
また、装置本体１０が、開口部７０の上面側を覆う背もたれ部材１２を備えている。この構成によれば、開口部７０が上面側に露出することを防ぐことができるから、より見栄えを良くすることができる。
【００４８】
また、第２連結部５０Ｂの内部に、電線Ｗ等を収容可能な収容空間が設けられている。この構成によれば、第２連結部５０Ｂの内部を、電線Ｗ等を収容する空間として有効利用することができる。
【００４９】
また、収容空間が、便座３０の内部に連通するとともに、電線Ｗ等を側方から収容可能に開放され、カバー部６１Ｂによって閉じられるようになっている。この構成によれば、電線Ｗ等を側方から収容空間に収容し、便座３０の内部に通すことができるから、電線Ｗ等の配置を容易に行うことができる。
【００５０】
＜他の実施例＞
本発明は上記記述及び図面によって説明した実施例に限定されるものではなく、例えば次のような実施例も本発明の技術的範囲に含まれる。
（１）上記実施例では、左右の開口部７０の大きさおよび位置が若干異なるものとされているが、これに限らず、左右の開口部の大きさまたは位置を同じようにしてもよい。
（２）上記実施例では、装置本体１０が洗浄タンク１１を有するものとされているが、これに限らず、装置本体は、便器本体の上面側に固定されるものであればよく、例えば洗浄タンクや局部洗浄装置等の各種トイレ機器を備えていないものであってもよい。
（３）上記実施例では、ヒンジ部Ｈの具体的な構成を例示したが、ヒンジ部の構成は、便座を回動可能に支持可能であればどのような構成であってもよい。
（４）上記実施例では、開口部７０の上面側を覆うカバー部材が背もたれ部材１２とされているが、カバー部材は背もたれ部材でなくてもよい。
（５）上記実施例では、左右一対の連結部５０のうち第２連結部５０Ｂに収容空間が備えられているが、これに限らず、収容空間は、ヒンジ部の構成および連結部の形態に合わせて適宜設ける部位を変更してもよい。なお、収容空間は、必ずしも設けなくてもよい。
（６）上記実施例では、収容空間が、電線Ｗ等を側方から収容可能に開放され、カバー部６１Ｂによって閉じられるようになっているが、これに限らず、例えば収容空間は全周閉じた空間とされ、軸方向から電線が挿入されるものとしてもよい。
【符号の説明】
【００５１】
Ｈ…ヒンジ部
Ｍ…便座装置
Ｗ…電線
１…便器本体
１０…装置本体
１２…背もたれ部材（カバー部材）
３０…便座
５０…連結部
５１…接合部（便座側の端部）
６１Ｂ…カバー部
７０…開口部
【図１】
0006525802.tif 000002
【図２】
0006525802.tif 000003
【図３】
0006525802.tif 000004
【図４】
0006525802.tif 000005
【図５】
0006525802.tif 000006
【図６】
0006525802.tif 000007
【図７】
0006525802.tif 000008
【図８】
0006525802.tif 000009
【図９】
0006525802.tif 000010
【図１０】
0006525802.tif 000011
【図１１】
0006525802.tif 000012
【図１２】
0006525802.tif 000013
【図１３】
0006525802.tif 000014
【図１４】
0006525802.tif 000015